(57)【要約】【課題】ＵＳＩＭカードと電池パック相互間の配置の設計自由度をふやして、ＵＳＩＭカードの引き出し空間の一部を電池パックの収納空間の外に配置した構造の携帯端末を提供する。【解決手段】ＵＳＩＭカード８０の幅は、電池収納空間５１の幅より一部が第１の側面方向に飛び出している。この飛び出した部分を含むように開閉部材６０が開閉自在に電池収納枠体５０に取り付けられて、電池収納部４０を構成する。ＵＳＩＭカード８０のＵＳＩＭカード収納部９０に対する挿抜は、開閉部材６０を開いて、電池パックを電池収納空間５１から取り外した状態で行う。ＵＳＩＭカード８０を挿入したあとは、電池パックを電池収納空間５１に装着し、開閉部材６０を閉じて、さらにスライドさせてスライド固定部６３がスライド受け部５３に固定され、電池押さえ部６２が電池パックを主面方向に押さえる。【選択図】図２
2010081409.tif 000002
【特許請求の範囲】
【請求項１】
電池パックが着脱自在に収納される電池収納部と、カードが挿抜自在に収納されるカード収納部とを有する携帯端末であって、
前記カードを引き出すときの引き出し空間の第１の領域が前記電池収納部に収納された電池パックと重なり、当該引き出し空間の第２の領域が当該電池パックより外部に飛び出た配置とし、
前記電池収納部は、
前記第２の領域を含む領域に開閉自在な開閉部材を備え、この開閉部材が開かれた状態では前記開閉部材と前記第２の領域とが重ならず、閉じられた状態では前記開閉部材と前記第２の領域とが重なり、前記電池収納部に前記電池パックが収納されているときには前記開閉部材が前記電池パックを押さえて固定する
ことを特徴とする携帯端末。
【請求項２】
前記開閉部材は、スライド固定部と電池押さえ部を有し、
前記電池収納部は、さらに、前記スライド固定部を受ける受け部を有し、
前記開閉部材を回動させて閉じた後にスライドさせて前記スライド固定部が前記受け部に固定され、その状態で前記電池押さえ部が前記電池パックを押さえることを特徴とする請求項１記載の携帯端末。
【請求項３】
前記携帯端末は、さらに、前記電池パックと開閉部材とを覆う電池蓋を有し、
前記開閉部材は、さらに、閉じられた状態で前記電池蓋に面するところに穴が形成され、
前記電池蓋は、前記開閉部材が前記スライドして固定された状態で、前記開閉部材の穴に対応する位置に突起を有し、当該電池蓋がセットされた状態で、前記開閉部材のスライドがロックされることを特徴とする請求項２記載の携帯端末。
【請求項４】
前記開閉部材の回動面は、前記電池パックの主平面に対して垂直であり、前記開閉部材の電池押さえ部は、前記電池パックの第１の端部に対して前記垂直方向に押さえることを特徴とする請求項１記載の携帯端末。
【請求項５】
前記電池パックは、さらに、第２の端部と、前記第１の端部および第２の端部の近傍に接続端子を備え、
前記電池収納部は、さらに、前記電池パックの第２の端部を押さえる第２の電池押さえ部を有することを特徴とする請求項４記載の携帯端末。
【発明の詳細な説明】
【技術分野】
【０００１】
本発明は、電池パックが着脱自在に収納される電池収納部と、カードが挿抜自在に収納されるカード収納部とを有する携帯端末に関する。
【背景技術】
【０００２】
携帯電話機等で使用されるＵＳＩＭ（Universal Subscriber Identity Module：汎用加入者識別モジュール）カードは、携帯電話会社が発行する加入者識別情報や、加入者個人の電話帳などのプライベートな情報が暗号化されて記録されている。携帯電話機は、ＵＳＩＭカードを着脱できる構造となっており、加入者は、ＵＳＩＭカードを着脱して複数の携帯電話機を使い分けることができる。
【０００３】
ＵＳＩＭカードは携帯電話機の電源が入った状態で着脱されてしまうと、ＵＳＩＭカードの重要な情報が壊れるおそれがあり、電池パックを取り外さないとＵＳＩＭカードの着脱を行うことができない構造になっている。  
また、この電池パックについては、実装された状態で衝撃による瞬断が起こらないように、電池パックの端子と携帯電話機側の接続端子とが確実に接触するための押さえ構造になっている。
【０００４】
このようなＳＩＭカードを内蔵する携帯電話機がある（例えば、特許文献１参照。）。この特許文献１の図３〜図５に示されるように、ＳＩＭカード７を出し入れするためのＳＩＭトレイ６は、引き出した状態では、電池パック８の収納部である電池室２５に配設されている。したがって、電池パック８を取り外した状態で、ＳＩＭトレイ６を引き出し（図３（Ａ）、図４）、および収納する（図３（Ｂ）、図５）。これにより、電源が入った状態でのＳＩＭカードの着脱ができないようになっており、ＳＩＭカードのデータ破損防止になっている（段落番号［００４６］）。
【特許文献１】特開２００４−２２２１７０号公報（頁６〜頁７、図３〜図５）
【発明の開示】
【発明が解決しようとする課題】
【０００５】
特許文献１の図３〜図５に示されるように、一般的な携帯電話機では、携帯電話機の幅いっぱいまで電池パックが占める構造である。そのため、必然的に、ＳＩＭトレイ６の配置は中央寄りにして、ＳＩＭトレイ６の引き出し空間は、電池室２５の空間に包含されるようにしている。その方が、ＳＩＭトレイ６を引き出すときに、電池室２５の壁に突き当たる心配がない。
【０００６】
ところで、携帯電話機の薄型化およびデザイン上で側面部を絞る場合や、電池パックの幅が携帯電話機の幅に比べてかなり小さい場合などには、電池パックを携帯電話機の筐体の側面部から離して中央寄りに配置することがある。一方、ＵＳＩＭカードは薄いため、配置の設計自由度が大きく、側面部寄りに配置することができる。その場合、ＵＳＩＭカードの引き出し空間が電池パックの収納室より外に一部が飛び出た配置となる。そのため、ＵＳＩＭカードを引き出すときに、電池パックの収納室の壁に突き当たるという問題がある。
【０００７】
本発明は、ＵＳＩＭカードと電池パック相互間の配置の設計自由度をふやして、ＵＳＩＭカードの引き出し空間が電池パックの収納室より外に一部が飛び出た配置とする。その配置において、ＵＳＩＭカードと電池パック収納室の壁とが突き当たらないようにし、且つ、電池パックを確実に電池パック収納室に保持することができると共に、電池パックを取り外さないとＵＳＩＭカードの着脱を行うことができない構造の携帯端末を提供することを目的とする。
【課題を解決するための手段】
【０００８】
上記目的を達成するために、本発明の携帯端末は、電池パックが着脱自在に収納される電池収納部と、カードが挿抜自在に収納されるカード収納部とを有する携帯端末であって、
前記カードを引き出すときの引き出し空間の第１の領域が前記電池収納部に収納された電池パックと重なり、当該引き出し空間の第２の領域が当該電池パックより外部に飛び出た配置とし、前記電池収納部は、前記第２の領域を含む領域に開閉自在な開閉部材を備え、この開閉部材が開かれた状態では前記開閉部材と前記第２の領域とが重ならず、閉じられた状態では前記開閉部材と前記第２の領域とが重なり、前記電池収納部に前記電池パックが収納されているときには前記開閉部材が前記電池パックを押さえて固定することを特徴とする。
【発明の効果】
【０００９】
本発明によれば、ＵＳＩＭカードと電池パック相互間の配置の設計自由度をふやして、ＵＳＩＭカードの引き出し空間が電池パックの収納空間より外に一部が飛び出た配置とすることができる。その配置において、ＵＳＩＭカードと電池パック収納室の壁とが突き当たらないようにし、且つ、電池パックを確実に電池パック収納室に保持することができると共に、電池パックを取り外さないとＵＳＩＭカードの着脱を行うことができない構造を維持することができる。
【発明を実施するための最良の形態】
【００１０】
図１は、本発明の実施例に係る携帯端末１００の分解斜視図である。携帯端末１００は、ストレートタイプの構造であり、背面ケース１０（電池蓋兼用）、中ケース２０、主面ケース３０などから構成される。主面ケース３０の反対側には、点線で示したように、ユーザインタフェースである音声レシーバ３１、表示部３２、キー操作部３３、マイク３４などが備わる。
【００１１】
以降、携帯端末１００の中心部分から見た３次元方向として、背面ケース１０側への方向を背面方向、主面ケース３０側への方向を主面方向、音声レシーバ３１側への方向を頂部方向、マイク３４側への方向を底部方向、開閉部材６０側への側面方向を第１の側面方向、その反対方向を第２の側面方向と称する。
【００１２】
中ケース２０の部分には、内部に電池収納部４０があり、電池収納部４０は、電池収納枠体５０と開閉部材６０を備える。開閉部材６０は、開閉自在に電池収納枠体５０につながっており、背面方向に回転して開く。電池収納枠体５０には、電池パック７０が装着される。
【００１３】
開閉部材６０を開いて、電池パック７０を取り外した状態で、ＵＳＩＭカード８０が内部のＵＳＩＭカード収納部９０(不図示)に対して、頂部方向および底部方向に動かして挿抜される。
【００１４】
背面ケース１０は、電池蓋を兼用しており、背面ケース１０の嵌合爪１１を中ケース２０の嵌合穴２１に合わせて嵌合することにより、背面ケース１０が電池パック７０を覆う。
【００１５】
図２および図３は、本発明の実施例に係る電池収納部４０とＵＳＩＭカード８０などの構造図であり、ＵＳＩＭカード８０を引き出した状態を示す。図２の（Ａ）は第１の側面方向に向かって見た斜視図、図２の（Ｂ）は第２の側面方向に向かって見た斜視図であり、（Ａ）に対し左右が反対になっている。図３は、平面図である。
【００１６】
ＵＳＩＭカード８０をＵＳＩＭカード収納部９０から引き出すために、開閉部材６０が開かれて、電池パック７０（不図示）が取り外されている必要がある。
【００１７】
次に、各構成要素について説明する。電池収納部４０は、電池収納枠体５０と開閉部材６０を備える。電池収納枠体５０は、電池パック７０を取り囲むように保持する枠体であり、内部に電池収納空間５１が形成され、この部分に電池パック７０が収納される。電池収納枠体５０は、電池押さえ部５２（第２の電池押さえ部）、スライド受け部５３、回転受け突起５４を備え、さらに電池用コネクタ５５が取り付けられる。電池押さえ部５２は、電池パック７０の端部を主面方向に押さえる。スライド受け部５３は、開閉部材６０が閉じられたときに、開閉部材６０のスライド固定部６３を固定する。
【００１８】
開閉部材６０は、回転部６１、電池押さえ部６２（第１の電池押さえ部）、スライド固定部６３を備える。回転部６１は、電池収納枠体５０の回転受け突起５４部分に嵌合して、セット組み立て後は、回転受け突起５４により抜けない構造である。開閉部材６０は、回転部６１部分を軸として回転する。この回転面は、電池パック７０の主平面に対して直角な面である。開閉部材６０は、主面方向に回転しながら閉じられ、さらに、頂部方向に向かってスライドできる構造になっている。
【００１９】
電池収納部４０に収納される電池パック７０とＵＳＩＭカード８０との配置関係について、図３で詳しく説明する。電池収納部４０に収納された電池パック７０の側面方向の幅と、ＵＳＩＭカード８０の側面方向の幅を矢印で示す。このように、ＵＳＩＭカード８０の第１の側面方向の端部が電池パック７０の第１の側面方向の端部より、外に飛び出た配置となっている。
【００２０】
従来は、電池パック７０の幅にＵＳＩＭカード８０の幅が包含されるように配置されていた。しかし、電池パック７０の小型化や、携帯端末１００の側面部の絞り加工などにより、電池パック７０を携帯端末１００の側面ぎりぎりに配置するのではなく、中央部に配置する必要性や自由度が生じてきた。本発明では、ＵＳＩＭカード８０の引き出し空間の一部が電池パック７０の外側に配置したものである。
【００２１】
ＵＳＩＭカード８０をＵＳＩＭカード収納部９０から底部方向に向かって引き出すための引き出し領域は、図中に点線で分けて示すように、電池パック７０と重なる第１領域８１と、電池パック７０の外部に位置する第２領域８２がある。
【００２２】
電池パック７０と重なる第１領域８１があるので、従来と同様に、電池パック７０を取り外さないと、ＵＳＩＭカード８０の挿抜を行うことはできず、ＵＳＩＭカード８０の情報を壊すおそれはない。
【００２３】
電池パック７０の外部に位置する第２領域８２を設けたために、電池収納枠体５０が従来のように長方形であれば、ＵＳＩＭカード８０を引き出すときに枠体にＵＳＩＭカード８０の第２領域８２がぶつかってしまい、引き出せない。
【００２４】
本発明では、この第２領域８２を含む範囲に、開閉可能な開閉部材６０を配置したことを特徴とする。そして、開閉部材６０を開いた状態で、電池パック７０を取り外してから、ＵＳＩＭカード８０の挿抜動作を行う。（そして、ＵＳＩＭカード８０をＵＳＩＭカード収納部９０に収納してＵＳＩＭカード８０が引っ込んだ状態で、電池パック７０を装着し、さらに、開閉部材６０を閉じて、開閉部材６０で電池パック７０を押さえる。）
次に、ＵＳＩＭカード８０および電池パック７０の装着状態について説明する。
【００２５】
図４および図５は、本発明の実施例に係る電池収納部４０とＵＳＩＭカード８０などの構造図であり、ＵＳＩＭカード８０を収納した状態を示す。図４の（Ａ）は第１の側面方向に向かって見た斜視図、図４の（Ｂ）は第２の側面方向に向かって見た斜視図であり、（Ａ）に対し左右が反対になっている。図５は、平面図である。
【００２６】
ＵＳＩＭカード８０が収納された状態で、開閉部材６０を開いたまま電池パック７０が装着され、さらに、開閉部材６０を閉じて、開閉部材６０で電池パック７０を押さえる構造である。
【００２７】
次に、各構成要素について説明する。電池パック７０は、切り欠き部７１（第１の端部）、切り欠き部７２（第２の端部）、電池パック接点７３を有する。
【００２８】
まず、ユーザは、図３、図４のように、開閉部材６０が開かれ、電池パック７０が取り外された状態で、ＵＳＩＭカード８０をＵＳＩＭカード収納部９０に挿入して収納する。この収納されたＵＳＩＭカード８０は、図４、図５に示されるように、電池パック７０が装着されても当たらない。また、閉じられた開閉部材６０に対しても当たらない状態である。
【００２９】
そして、ユーザは、開閉部材６０が開かれた状態で、電池パック７０を電池収納枠体５０に装着する。その時点で、電池パック７０の切り欠き部７２は、電池収納枠体５０の電池押さえ部５２の主面方向側に潜り込み、主面方向に押さえられる。
【００３０】
そして、ユーザは、開閉部材６０を閉じて、さらに、頂部方向にスライドさせる。その時点で、開閉部材６０のスライド固定部６３が電池収納枠体５０のスライド受け部５３で固定されて、背面方向へは浮き上がらないようになる。また、電池パック７０の切り欠き部７１は、開閉部材６０の電池押さえ部６２により主面方向に押さえられる。
【００３１】
この時点で、電池パック７０は、しっかりと背面方向に押されるので、電池パック接点７３と電池用コネクタ５５の接続は、振動や衝撃に対してずれることなく保護される。
【００３２】
この状態では、まだ、開閉部材６０が振動や衝撃により底部方向に動いて、スライド固定部６３とスライド受け部５３の固定が外れるおそれがあるので、スライドをロックする構造について、次に説明する。  
図６および図７は、本発明の実施例に係る電池収納部４０と背面ケース１０（電池蓋）の関係を説明する構造図である。図６は概略を示す斜視図である。図７は詳細図であり、（Ａ）は、中ケース２０の正面から見た平面図、（Ｂ）は、（Ａ）の丸印部分の拡大詳細図、（Ｃ）は、（Ｂ）のＳＴＯＰＰＥＲ−ＳＴＯＰＰＥＲ矢視の断面図である。
【００３３】
背面ケース１０のスライドロック突起１２は、背面ケース１０を中ケース１２に被せて嵌合させたとき、開閉部材６０のスライドロック穴６４に位置が対応しており、スライドロック突起１２がスライドロック穴６４に入る。これにより、開閉部材６０のスライドを防ぐことができる。
【００３４】
以上説明したように本発明の実施例によれば、ＵＳＩＭカードと電池パック相互間の配置の設計自由度をふやして、ＵＳＩＭカードの引き出し空間が電池パックの収納空間より外に一部が飛び出た配置とすることができる。その配置において、ＵＳＩＭカードと電池パック収納室の壁とが突き当たらないようにし、且つ、電池パックを確実に電池パック収納室に保持することができると共に、電池パックを取り外さないとＵＳＩＭカードの着脱を行うことができない構造を維持することができる。
【００３５】
なお、本発明の携帯端末は、携帯電話機、ＰＨＳ、データ端末などのＵＳＩＭカードと電池パックを搭載した装置に応用することができる。
【図面の簡単な説明】
【００３６】
【図１】本発明の実施例に係る携帯端末１００の分解斜視図。
【図２】本発明の実施例に係る電池収納部４０とＵＳＩＭカード８０などの構造斜視図（カード引き出した状態）。
【図３】本発明の実施例に係る電池収納部４０とＵＳＩＭカード８０などの構造平面図（カード引き出した状態）。
【図４】本発明の実施例に係る電池収納部４０とＵＳＩＭカード８０などの構造斜視図（カード収納した状態）。
【図５】本発明の実施例に係る電池収納部４０とＵＳＩＭカード８０などの構造平面図（カード収納した状態）。
【図６】本発明の実施例に係る電池収納部４０と背面ケース１０（電池蓋）の関係を説明する構造図斜視図。
【図７】本発明の実施例に係る電池収納部４０と背面ケース１０（電池蓋）の関係を説明する詳細図。
【符号の説明】
【００３７】
１０  背面ケース
１１  嵌合爪
１２  スライドロック突起
２０  中ケース
２１  嵌合穴
３０  主面ケース
３１  音声レシーバ
３２  表示部
３３  キー操作部
３４  マイク
４０  電池収納部
５０  電池収納枠体
５１  電池収納空間
５２  電池押さえ部
５３  スライド受け部
５４  回転受け突起
５５  電池用コネクタ
６０  開閉部材
６１  回転部
６２  電池押さえ部
６３  スライド固定部
６４  スライドロック穴
７０  電池パック
７１  切り欠き部
７２  切り欠き部
７３  電池パック接点
８０  ＵＳＩＭカード
８１  第１領域
８２  第２領域
９０  ＵＳＩＭカード収納部
１００  携帯端末
【図１】
2010081409.tif 000003
【図２】
2010081409.tif 000004
【図３】
2010081409.tif 000005
【図４】
2010081409.tif 000006
【図５】
2010081409.tif 000007
【図６】
2010081409.tif 000008
【図７】
2010081409.tif 000009